(57)【要約】【課題】箱型パッケージに好適な、設置面積が小さい販売什器を提供する。【解決手段】販売什器１００は、箱型パッケージ１０に好適な販売什器であって、略直方体の本体１１０と、床面に当接して本体１１０の転倒を防止する架台１５０とを含む。この本体１１０は、架台１５０に立設されている。この本体１１０は、幅および奥行きの１０倍以上の高さを備える略直方体であるとともに、少なくとも前面の上部１１０Ｕに複数の箱型パッケージ１０の高さに対応した長さの透明板１１２が設けられている。この透明板１１２の上方に箱型パッケージ１０の投入口１１４および透明板１１２の下方に箱型パッケージ１０の取り出し口１１６を備え、複数の箱型パッケージ１０が本体１１０内に積み重ねられる。【選択図】図１
0003222061.tif 000002
【実用新案登録請求の範囲】
【請求項１】
箱型パッケージに好適な販売什器であって、
略直方体の本体と、
床面に当接して前記本体の転倒を防止する架台とを含み、
前記本体は、前記架台に立設され、
前記本体の略直方体は、幅および奥行きの１０倍以上の高さを備える略直方体であるとともに、
前記本体には、少なくとも前面の上部に複数の前記箱型パッケージの高さに対応した長さの透明板が設けられ、前記透明板の上方に前記箱型パッケージの投入口および前記透明板の下方に前記箱型パッケージの取り出し口が備えられ、
前記複数の箱型パッケージが前記本体内に積み重ねられる、販売什器。
【考案の詳細な説明】
【技術分野】
【０００１】
本考案は、パンティーストッキング、タイツ、靴下等を収納した箱型パッケージに好適な販売什器であって、特に、設置面積が小さい販売什器に関する。
【背景技術】
【０００２】
一般に、衣類は、需要促進、販売促進、購入意欲喚起等のため、新素材の利用、着用性、体形補正等の各種の機能性向上や種々の改良が行われ、それらの改良がなされた衣類を展示販売するために、衣類に適したパッケージが種々工夫されている。
本願出願人に係る特開２０１６−００３０５８号公報（特許文献１）は、肌着に代表されるショーツ、アンダーシャツ、タイツ、パンティーストッキング等の試着が好ましくない衣類の展示販売に好適に用いられるパッケージおよびそのパッケージを用いた衣類の展示販売方法を開示する。この特許文献１に開示されたパッケージは、試着が好ましくない衣類を展示販売するためのパッケージであって、展示販売するときの前記衣類の平面状態の面積よりも大きな面積を有する第１の面および前記第１の面の反対側である第２の面を備えた平面状部材と、前記第１の面とは異なる部分に設けられ、前記衣類を露出させて前記衣類の少なくとも一部を保持するための保持手段とを含むことを特徴とする。そして、この特許文献１には、枠体から構成される自立した展示販売台の水平方向および垂直方向にそれぞれ所定数が片持ち支持された商品吊り下げ棒に、このパッケージを、１の商品吊り下げ棒において前記第１の面が同じ向きになるように２以上吊り下げる、展示販売方法が開示されている。
【先行技術文献】
【特許文献】
【０００３】
【特許文献１】特開２０１６−００３０５８号公報
【考案の概要】
【考案が解決しようとする課題】
【０００４】
特許文献１に開示されたパッケージおよびそのパッケージを用いた衣類の展示販売方法は好評を得ているのであるが、この特許文献１の図１４〜図１６に示す展示販売台は大きな設置面積を必要とする点が問題となる場合があり得る。
本考案は、従来技術の上述の問題点に鑑みて開発されたものであり、その目的とするところは、箱型パッケージに好適な販売什器であって、特に、設置面積が小さい販売什器を提供することである。
【０００５】
なお、本考案に係る販売什器が好適に適用される箱型パッケージに収納されて販売される商品には、限定されるものではないが、靴下（ソックス）のみならず（靴下の丈の長さは特に限定されない）、パンティ部を備えたパンティーストッキングおよびタイツ（これらの一部（足首より先の部分やパンティ部等）を欠落させた、スパッツ、レギンスおよびトレンカ等と呼ばれるものを含む）を含み、さらにボクサーパンツ等の下着類を含み、また衣類ではないタオル、ハンカチ等を含む。このような小物の商品が好適である。
【課題を解決するための手段】
【０００６】
上記目的を達成するため、本考案に係る販売什器は以下の技術的手段を講じている。
すなわち、本考案に係る販売什器は、箱型パッケージに好適な販売什器であって、略直方体の本体と、床面に当接して前記本体の転倒を防止する架台とを含み、前記本体は、前記架台に立設され、前記本体の略直方体は、幅および奥行きの１０倍以上の高さを備える略直方体であるとともに、前記本体には少なくとも前面の上部に複数の前記箱型パッケージの高さに対応した長さの透明板が設けられ、前記透明板の上方に前記箱型パッケージの投入口および前記透明板の下方に前記箱型パッケージの取り出し口が備えられ、前記複数の箱型パッケージが前記本体内に積み重ねられる。
【考案の効果】
【０００７】
本考案に係る販売什器によると、箱型パッケージに好適な販売什器であって、特に、設置面積が小さい販売什器を提供することができる。
【図面の簡単な説明】
【０００８】
【図１】（Ａ）本考案の実施の形態に係る販売什器１００の全体斜視図、（Ｂ）販売什器１００に収納される箱型パッケージ１０の斜視図、（Ｃ）販売什器１００への箱型パッケージ１０の投入方法および販売什器１００からの箱型パッケージ１０の取り出し方法を説明するための図である。
【考案を実施するための形態】
【０００９】
以下、本考案の実施の形態に係る販売什器１００を、図面に基づき詳しく説明する。
図１（Ａ）にこの販売什器１００の全体を示す斜視図を、図１（Ｂ）に販売什器１００に収納される箱型パッケージ１０の斜視図を、図１（Ｃ）に販売什器１００への箱型パッケージ１０の投入方法および販売什器１００からの箱型パッケージ１０の取り出し方法を説明するための図を、それぞれ示す。なお、図１（Ｃ）は図１（Ａ）の白抜き矢示Ｃ方向から見た想像図であって、箱型パッケージ１０の背面が当接する本体１１０内の壁面等を記載していない。
【００１０】
この販売什器１００は、図１（Ａ）に示すように、図１（Ｂ）に示す箱型パッケージ１０に好適な販売什器であって、略直方体の本体１１０と、床面に当接して本体１１０の転倒を防止する架台１５０とを含む。この本体１１０は、架台１５０に立設されている。この本体１１０の略直方体は、幅および奥行きの１０倍以上の高さを備える略直方体であるとともに、この本体１１０には、少なくとも前面の上部１１０Ｕに複数の箱型パッケージ１０の高さに対応した長さの透明板１１２が設けられ、この本体１１０の透明板１１２の上方に箱型パッケージ１０の投入口１１４および透明板１１２の下方に箱型パッケージ１０の取り出し口１１６が備えられ、複数の箱型パッケージ１０が本体１１０内に積み重ねられる。なお、複数の箱型パッケージ１０の高さに対応した透明板１１２の長さとは、概略的には、箱型パッケージ１０の高さ×本体１１０内に積み重ねられる箱型パッケージの個数−（投入口１１４の高さ＋取り出し口１１６の高さ）である。
【００１１】
このような特徴を備えた本考案の実施の形態に係る販売什器１００についてさらに詳しく説明する。
図１に示すように、この販売什器１００は、たとえば厚紙を切り出して組み立てられた本体１１０と、床面に当接される架台１５０とを含んで構成される。架台１５０は、この本体１１０が転倒することを防止することができる重さを備えた金属等の平板１５２と、この平板１５２に設けられた金属棒等で形成された枠であって本体１１０の下部１１０Ｄの下端を覆う枠体１５４とから構成される。本体１１０を厚紙等の軽い素材で構成して、この本体１１０の上部１１０Ｕにのみ箱型パッケージ１０を積み重ねて収納する場合には、本体１１０の上部１１０Ｕが下部１１０Ｄに比べて重くなりバランスを崩すことがあるためにこのような架台１５０により本体１１０の転倒を防止している。
【００１２】
この本体１１０の高さは人体の身長程度であって、前面の上部１１０Ｕに（本体１１０内に積み重ねられて収納される）複数の箱型パッケージ１０の高さに対応した長さの透明板１１２が設けられており、前面の下部１１０Ｄは壁面１１８で塞がれている。限定されるものではないが、おおよそ人体の腰部以上にこの透明板１１２が設けられており、頭部程度の高さ位置に投入口１１４が腰部程度の高さ位置に取り出し口１１６がそれぞれ設けられることになる。また、限定されるものではないが、この本体１１０における幅の寸法および奥行きの寸法は同じ程度である。
【００１３】
なお、この図１（Ａ）に示す販売什器１００においては前面の上部１１０Ｕにのみ透明板１１２を設けて箱型パッケージ１０を積み重ねて収納しているが、これに限定されるものではなく、背面の上部１１０Ｕにも透明板１１２を設けて箱型パッケージ１０を積み重ねて収納しても構わないし、前面および背面に両側面を加えた４面（または片方の側面のみを加えた３面）に透明板１１２を設けて箱型パッケージ１０を積み重ねて収納しても構わない。さらに、上部１１０Ｕだけではなく下部１１０Ｄにも透明板１１２を設けて箱型パッケージ１０を積み重ねて収納しても構わない。
【００１４】
このような構造を備えた販売什器１００において箱型パッケージ１０を投入する場合には、図１（Ｃ）に示すように透明板１１２の上方に設けられた投入口１１４に箱型パッケージ１０を斜めに傾けて投入する。この投入動作を、本体１１０の内部に収納する箱型パッケージ１０の個数分だけ繰り返す。この投入動作により箱型パッケージ１０が積み重ねられて収納されて、透明板１１２を通して視覚によりその個数を確認することができる。
【００１５】
そして、所定の個数分の箱型パッケージ１０が収納されて販売店の売り場に設置されたこの販売什器１００において箱型パッケージ１０を取り出す場合には、図１（Ｃ）に示すように透明板１１２の下方に設けられた取り出し口１１６から箱型パッケージ１０を斜めに傾けて取り出す。この取り出し動作が本体１１０の内部に収納する箱型パッケージ１０の個数分だけ繰り返されると（すなわち売り切れると）、上述した投入動作により箱型パッケージ１０を補充する。透明板１１２を通して視覚により本体１１０に積み重ねられて収納されている箱型パッケージ１０の個数を確認することができるので商品補充のタイミングを容易に知ることができる。なお、売り切れる前に補充する場合であっても、透明板１１２を通して視覚により本体１１０に積み重ねられて収納されている箱型パッケージ１０の個数を確認することができるので好ましい。
【００１６】
上述した構造を備えて上述した方法により箱型パッケージ１０が販売者により投入されて購入者により取り出されるこの販売什器１００は、販売店の売り場に設置するにあたり非常に小さい設置面積で良い。このため、売り場に空いたわずかなスペースに設置することができる。
以上のようにして、本実施の形態に係る販売什器によると、箱型パッケージに好適な販売什器であって、特に、設置面積が小さい販売什器を提供することができる。
【００１７】
なお、今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００１８】
本考案は、箱型パッケージに好適な販売什器であって、設置面積が小さい点で特に好ましい。
【符号の説明】
【００１９】
１０  箱型パッケージ
１００  販売什器
１１０  本体
１５０  架台
【図１】
0003222061.tif 000003